(57)【特許請求の範囲】
【請求項１】
風騒音を記録する風騒音記録システムであって、
風騒音の発生源近傍に配置され、前記発生源近傍の風速が所定の基準風速以上となった時点以降に開始信号を送信し、その後、前記発生源近傍の風速が前記基準風速未満となった時点以降に停止信号を送信する風監視装置と、
前記発生源から離れた場所に配置され、前記開始信号が受信されてから前記停止信号が受信されるまでの間、所定の基準音圧レベル以上の音圧レベルを有する音のみを録音する録音装置とを備えていることを特徴とする風騒音記録システム。
【請求項２】
前記風監視装置は、
風を受けて発電し、当該風の風速が前記基準風速以上である間、出力電圧が所定の基準電圧以上となる風車発電機と、
前記風車発電機の出力電圧が供給され、前記出力電圧が前記基準電圧以上である状態が所定時間継続したときに前記開始信号を出力し、その後、前記出力電圧が前記基準電圧未満となった時点以降に前記停止信号を出力する信号出力装置と、
前記開始信号および前記停止信号をそれぞれ送信する送信機とを備えていることを特徴とする請求項１に記載の風騒音記録システム。
【請求項３】
前記信号出力装置および前記送信機は、前記風車発電機の出力電圧が電源電圧として供給されることにより動作し、前記送信機の動作限界電圧が前記信号出力装置の動作限界電圧よりも小さいことを特徴とする請求項１または２に記載の風騒音記録システム。
【請求項４】
前記録音装置は、
前記開始信号および前記停止信号をそれぞれ受信する受信機と、
前記基準音圧レベル以上の音圧レベルを有する音のみを録音する録音機と、
前記受信機による前記開始信号の受信に応じて前記録音機の稼働を開始させ、前記受信機による前記停止信号の受信に応じて前記録音機の稼働を停止させる制御部とを備えていることを特徴とする請求項１ないし３のいずれかに記載の風騒音記録システム。
【請求項５】
前記録音機が稼働を開始した時刻を示す時刻データを記憶する時刻記憶部を備えていることを特徴とする請求項４に記載の風騒音記録システム。
【請求項６】
前記発生源は鉄塔または電柱に架設された電線であることを特徴とする請求項１ないし５のいずれかに記載の風騒音記録システム。
【請求項７】
風騒音を記録する風騒音記録方法であって、
風騒音の発生源近傍に風監視装置を配置し、当該風監視装置により、前記発生源近傍の風速が所定の基準風速以上となった時点以降に開始信号を送信し、その後、前記発生源近傍の風速が前記基準風速未満となった時点以降に停止信号を送信し、
前記発生源から離れた場所に録音装置を配置し、当該録音装置により、前記風監視装置から送信された開始信号および停止信号をそれぞれ受信し、前記開始信号が受信されてから前記停止信号が受信されるまでの間、所定の基準音圧レベル以上の音圧レベルを有する音のみを録音することを特徴とする風騒音記録方法。
【発明の詳細な説明】
【技術分野】
【０００１】
本発明は、例えば送電線等から発せられる風騒音を音声データとして記録する風騒音記録システムおよび風騒音記録方法に関する。
【背景技術】
【０００２】
微風により送電線が振動し、異音が発生することがある。このような微風振動による異音は、送電線の周囲で生活する人々を不快にすることから、風騒音の一種である。【０００３】
電力会社の作業員は、送電線の周囲で生活する者から風騒音が聞こえる旨の報告を受けた場合、風騒音が聞こえる事実を確認し、風騒音がどのような音であるのかを把握し、風騒音の原因である送電線を探し出し、その送電線の固有振動数を変えるための措置等を施し、風騒音が発生しないようにする。【０００４】
このような作業において、従来、風騒音が聞こえる事実の確認、または風騒音がどのような音であるかの把握を行うに当たり、作業員は、例えば風騒音が聞こえる旨の報告をした者に問うなどして風騒音が聞こえる場所を特定し、その場所に行き、その場所にＩＣレコーダを置き、ＩＣレコーダにより周囲の音を録音する。なお、ＩＣレコーダには指向性マイクロフォンを取り付け、当該マイクロフォンを送電線の方に向ける。これにより、微風騒音による風騒音が実際に聞こえる場合には、当該風騒音を録音することができる。【０００５】
また、下記の特許文献１には風騒音の測定を無人で行うことができる風騒音無人観測器が記載されている。
【先行技術文献】
【特許文献】
【０００６】
【特許文献１】実開昭５９ー１７６９３６号公報
【発明の概要】
【発明が解決しようとする課題】
【０００７】
ところで、上述した作業において、風騒音が聞こえる事実を確認し、または風騒音がどのような音であるかを把握するためには、作業員はＩＣレコーダで録音した音声を聞き、その音声の中から風騒音を探し出さなければならない。これを達成するために、作業員は、長時間に及ぶ音声を、風騒音を聞き逃すことのないよう注意を払いながら聞き続けなければならない。それゆえ、この作業には、作業が長時間に及び、作業員の負担が大きいという問題がある。【０００８】
この問題を解決するためには、風騒音以外の音をできる限り録音しないようにして、録音時間を短くすればよい。しかしながら、これは次に述べる通り容易でない。【０００９】
例えば、人間が耳で聞き取ることのできる何らかの音が鳴っている期間だけ録音動作を行うようにすれば、録音時間をある程度短くすることができる。しかし、ＩＣレコーダが置かれた場所の周囲には、自動車の走行音、人間の生活音、動物の鳴き声、降雨の音など様々な音が存在している。この結果、このような様々な音が録音されてしまい、録音時間が十分に短くならない。【００１０】
また、風騒音の周波数を事前に特定し、その周波数の音が届いたときのみ録音動作を行うようにすれば、録音時間を短くすることができる。しかし、微風振動による風騒音の周波数は、鉄塔高、径間長、電線の張力等により変化する。このため、微風振動による風騒音の周波数を事前に特定することは困難である。【００１１】
また、風騒音が聞こえる間は風が吹いていると考えられる。そこで、風が吹いていることを検出し、風が吹いている間のみ録音動作を行うようにすれば、録音時間を短くすることができるとも思える。ところが、微風振動による風騒音の場合、風騒音が聞こえるときに、その風騒音が聞こえる場所に風が吹いているとは限らない。すなわち、微風振動による風騒音が発生する場所と、この風騒音が聞こえる場所とは離れていることが多い。微風振動による風騒音が発生する場所は電線がある位置であり、例えば鉄塔の頂部付近である。これに対し、微風振動による風騒音が聞こえる場所はその鉄塔からかなり離れた場所であることがある。この場合、風騒音が発生している場所に風が吹いていても、風騒音が聞こえる場所には風が吹いていない場合がある。それゆえ、この方法では、録音時間は短くなるとしても、風騒音がＩＣレコーダに届いていたにもかかわらず、それが録音されないことがあり得る。【００１２】
また、上記特許文献１に記載された風騒音無人観測器は、観測器周囲の風速が一定以上となった場合にデータ記録を行う機能を有している。しかし、上述したように、観測器周囲の風速が一定以上でない間にも風騒音が届くことがあり得るため、この風騒音無人観測器の当該機能は利用することができない。【００１３】
本発明は例えば上述したような問題に鑑みなされたものであり、本発明の課題は、風騒音を確実に録音しつつ、録音時間を短くすることができる風騒音記録システムおよび風騒音記録方法を提供することにある。
【課題を解決するための手段】
【００１４】
上記課題を解決するために、本発明の第１の風騒音記録システムは、風騒音を記録する風騒音記録システムであって、風騒音の発生源近傍に配置され、前記発生源近傍の風速が所定の基準風速以上となった時点以降に開始信号を送信し、その後、前記発生源近傍の風速が前記基準風速未満となった時点以降に停止信号を送信する風監視装置と、前記発生源から離れた場所に配置され、前記開始信号が受信されてから前記停止信号が受信されるまでの間、所定の基準音圧レベル以上の音圧レベルを有する音のみを録音する録音装置とを備えていることを特徴とする。【００１５】
本発明の第２の風騒音記録システムは、上述した本発明の第１の風騒音記録システムにおいて、前記風監視装置は、風を受けて発電し、当該風の風速が前記基準風速以上である間、出力電圧が所定の基準電圧以上となる風車発電機と、前記風車発電機の出力電圧が供給され、前記出力電圧が前記基準電圧以上である状態が所定時間継続したときに前記開始信号を出力し、その後、前記出力電圧が前記基準電圧未満となった時点以降に前記停止信号を出力する信号出力装置と、前記開始信号および前記停止信号をそれぞれ送信する送信機とを備えていることを特徴とする。【００１６】
本発明の第３の風騒音記録システムは、上述した本発明の第１または第２の風騒音記録システムにおいて、前記信号出力装置および前記送信機は、前記風車発電機の出力電圧が電源電圧として供給されることにより動作し、前記送信機の動作限界電圧が前記信号出力装置の動作限界電圧よりも小さいことを特徴とする。【００１７】
本発明の第４の風騒音記録システムは、上述した本発明の第１ないし第３のいずれかの風騒音記録システムにおいて、前記録音装置は、前記開始信号および前記停止信号をそれぞれ受信する受信機と、前記基準音圧レベル以上の音圧レベルを有する音のみを録音する録音機と、前記受信機による前記開始信号の受信に応じて前記録音機の稼働を開始させ、前記受信機による前記停止信号の受信に応じて前記録音機の稼働を停止させる制御部とを備えていることを特徴とする。【００１８】
本発明の第５の風騒音記録システムは、上述した本発明の第４の風騒音記録システムにおいて、前記録音機が稼働を開始した時刻を示す時刻データを記憶する時刻記憶部を備えていることを特徴とする。【００１９】
本発明の第６の風騒音記録システムは、上述した本発明の第１ないし第５のいずれかの風騒音記録システムにおいて、前記発生源は鉄塔または電柱に架設された電線であることを特徴とする。【００２０】
上記課題を解決するために、本発明の風騒音記録方法は、風騒音を記録する風騒音記録方法であって、風騒音の発生源近傍に風監視装置を配置し、当該風監視装置により、前記発生源近傍の風速が所定の基準風速以上となった時点以降に開始信号を送信し、その後、前記発生源近傍の風速が前記基準風速未満となった時点以降に停止信号を送信し、前記発生源から離れた場所に録音装置を配置し、当該録音装置により、前記風監視装置から送信された開始信号および停止信号をそれぞれ受信し、前記開始信号が受信されてから前記停止信号が受信されるまでの間、所定の基準音圧レベル以上の音圧レベルを有する音のみを録音することを特徴とする。
【発明の効果】
【００２１】
本発明によれば、風騒音を確実に録音しつつ、録音時間を短くすることができる。
【図面の簡単な説明】
【００２２】
【図１】本発明の実施形態による風騒音記録システムを示す説明図である。
【図２】本発明の実施形態による風騒音記録システムにおける風監視装置の構成を示すブロック図である。
【図３】本発明の実施形態による風騒音記録システムにおける録音装置の構成を示すブロック図である。
【図４】本発明の実施形態による風騒音記録システムの動作を示すタイミングチャートである。
【図５】本発明の実施形態による風騒音記録システムの動作または風騒音記録方法を示すフローチャートである。
【発明を実施するための形態】
【００２３】
以下、本発明の実施の形態について図面を参照しながら説明する。
【００２４】
（風騒音記録システム）
図１は、本発明の実施の形態による風騒音記録システムを示している。図１において、本発明の実施形態による風騒音記録システム１は、送電線２等から発せられる風騒音を音声データとして記録するシステムである。風騒音記録システム１は、送電線２等の微風振動による風騒音を録音することができる。風騒音記録システム１は、風監視装置１１および録音装置２１を備えている。
【００２５】
風監視装置１１は、風騒音の発生源である送電線２の近傍に配置されている。送電線２は高所に架設されている場合が多いので、風監視装置１１も高所に配置されることが多い。例えば、風監視装置１１は、図１に示すように、鉄塔３に設置されている。風監視装置１１は、送電線２近傍の風速が所定の基準風速以上となった時点以降に、録音装置２１の稼働を開始させる開始信号を無線送信し、その後、送電線２近傍の風速が基準風速未満となった時点以降に、録音装置２１の稼働を停止させる停止信号を無線送信する装置である。
【００２６】
録音装置２１は、図１に示すように、風騒音の発生源である送電線２から離れた場所に配置される。例えば、録音装置２１は、風騒音が聞こえる場所（風騒音が聞こえる場所として送電線２の周囲の者から報告があった場所）に配置される。微風振動による風騒音が聞こえる場所は、この風騒音が発生する場所、すなわち、送電線２から大きく離れた場所であることがある。この場合には、録音装置２１は、送電線２から大きく離れた場所に配置される。録音装置２１は、風監視装置１１から送信された開始信号が受信されてから、風監視装置１１から送信された停止信号が受信されるまでの間、所定の基準音圧レベル以上の音圧レベルを有する音のみを録音する装置である。
【００２７】
（風監視装置）
図２は風監視装置１１の構成を示している。図２に示すように、風監視装置１１は、風車発電機１２、信号出力装置としてのタイマ１３、送信機１４、レギュレータ１５、およびキャパシタ１６を備えている。
【００２８】
風車発電機１２は、風を受けて羽根１２Ａを回転させることにより発電を行う装置である。風車発電機１２において、受けている風の風速が所定の基準風速以上となったとき、出力電圧が、所定の基準電圧としての発電機定格電圧以上となる。基準風速は例えば２．５ｍ／秒である。発電機定格電圧は例えば直流１４．５Ｖである。風車発電機１２の出力電圧はタイマ１３の電源電圧としてタイマ１３に供給される。また、風車発電機１２の出力電圧は送信機１４の電源電圧としてレギュレータ１５を介して送信機１４に供給される。レギュレータ１５は風車発電機１２の出力電圧の値を送信機１４の電源電圧として適切な値（例えば３．３Ｖ）に下げる。また、風車発電機１２の出力電圧はキャパシタ１６に供給され、キャパシタ１６に蓄積される。風車発電機１２は、風監視装置１１の電源としての機能と、基準風速以上の風の有無の検出する機能とを兼ね備えている。
【００２９】
タイマ１３はａ接点およびｂ接点を有し、限時動作を行う。タイマ１３は、風車発電機１２から発電機定格電圧以上の出力電圧（電源電圧）が入力されたとき、稼働を開始すると同時に計時を開始し、所定時間Ｔ経過した時点でａ接点を閉じ、ｂ接点を開く。ａ接点が閉じたとき、タイマ１３から送信機１４へ開始信号が出力される。また、タイマ１３は、風車発電機１２からの出力電圧が、発電機定格電圧よりも低いタイマ保持限界電圧未満となったときに、ａ接点を開き、ｂ接点を閉じ、その後、稼働を停止する。ｂ接点が閉じたとき、タイマ１３から送信機１４へ停止信号が出力される。なお、タイマ保持限界電圧は、タイマ１３の動作限界電圧に相当する。
【００３０】
送信機１４は、無線送信回路およびアンテナ１４Ａを備え、タイマ１３から出力された開始信号および停止信号をそれぞれ録音装置２１へ送信する。送信機１４は、風車発電機１２から発電機定格電圧以上の出力電圧がレギュレータ１５に供給され、これによりレギュレータ１５から送信機１４へ、当該送信機１４の動作限界電圧以上の電圧が入力されることにより稼働を開始する。また、送信機１４は、風車発電機１２からの出力電圧が発電機定格電圧よりも低く、さらにタイマ保持限界電圧よりも低くなり、その結果、レギュレータ１５から送信機１４に入力される電圧が、当該送信機１４の動作限界電圧未満となったときに、稼働を停止する。
【００３１】
風監視装置１１において、風車発電機１２は耐水性を有するハウジングを備えており、また、タイマ１３、送信機１４、レギュレータ１５およびキャパシタ１６は、耐水性を有するケースに収容されている。風監視装置１１は、全体として小型であり、軽量である。
【００３２】
（録音装置）
図３は録音装置２１の構成を示している。図３に示すように、録音装置２１は、受信機２２、制御部としてのレコーダＩ／Ｆ（レコーダインターフェース）２３、録音機としてのＩＣレコーダ２４、マイクロフォン２５、パラボラ集音器２６、レギュレータ２７、太陽電池パネル２８、鉛蓄電池２９および充放電コントローラ３０を備えている。
【００３３】
受信機２２は、アンテナ２２Ａおよび無線受信回路を備え、風監視装置１１の送信機１４から送信された開始信号および停止信号をそれぞれ受信する。また、受信機２２は、受信された開始信号および停止信号をそれぞれレコーダＩ／Ｆ２３に出力する。
【００３４】
レコーダＩ／Ｆ２３は信号処理回路を備えている。レコーダＩ／Ｆ２３は、受信機２２から開始信号が入力されとき、ＩＣレコーダ２４の稼働を開始させるためのパルス信号であるＯＮ信号をＩＣレコーダ２４に出力する。また、レコーダＩ／Ｆ２３は、受信機２２から停止信号が入力されとき、ＩＣレコーダ２４の稼働を停止させるためのパルス信号であるＯＦＦ信号をＩＣレコーダ２４に出力する。
【００３５】
ＩＣレコーダ２４は、所定の基準音圧レベル以上の音圧レベルを有する音のみを録音する装置である。ＩＣレコーダ２４は、音声入力端子、アナログーデジタル変換回路、例えばフラッシュメモリからなる記憶素子、時計等を備えている。また、ＩＣレコーダ２４は、これらの構成要素を制御すると共に、基準音圧レベル以上の音圧レベルを有する音を選択ないし抽出する回路を備えている。ＩＣレコーダ２４の音声入力端子にはマイクロフォン２５が接続されている。ＩＣレコーダ２４は、パラボラ集音器２６により集音され、マイクロフォン２５により取得された音をデジタルの音声データに変換し、この音声データのうち、基準音圧レベル以上の音圧レベルを有する音に対応する音声データのみを選択ないし抽出して記憶素子に記憶する。なお、ＩＣレコーダ２４における、基準音圧レベル以上の音圧レベルを有する音のみを録音する処理ないし動作は、例えば、ソニー株式会社製のＩＣレコーダが備えているＶＯＲ（Ｖｏｉｃｅ  Ｏｐｅｒａｔｅｄ  Ｒｅｃｏｒｄｉｎｇ）機能により実現することができる。
【００３６】
また、ＩＣレコーダ２４は制御端子を備えている。この制御端子にはレコーダＩ／Ｆ２３が接続されており、レコーダＩ／Ｆ２３から出力されるＯＮ信号およびＯＦＦ信号がそれぞれ入力される。ＯＮ信号が入力されたとき、ＩＣレコーダ２４は稼働を開始する。ＩＣレコーダ２４が稼働をしている間に、マイクロフォン２５から所定の基準音圧レベル以上の音圧レベルを有する音が入力されると、ＩＣレコーダ２４は、入力された音の音声データを記憶素子に記憶する動作、すなわち、録音動作を行う。また、ＯＦＦ信号が入力されたとき、ＩＣレコーダ２４は稼働を停止する。
【００３７】
また、ＩＣレコーダ２４は、自らが稼働を開始した時刻を示す時刻データ（タイムスタンプ）を記憶素子に記憶する機能（時刻記憶部としての機能）を備えている。
【００３８】
また、録音装置２１は、太陽電池パネル２８、鉛蓄電池２９、および充放電コントローラ３０により、受信機２２およびＩＣレコーダ２４等への継続的な電源電力の供給を自力で行うことができる。充放電コントローラ３０は、晴れた日中等、太陽電池パネル２８により十分な電力を発電することができるとき、太陽電池パネル２８により発電された電力を、受信機２２、ＩＣレコーダ２４、および鉛蓄電池２９に供給する。また、充放電コントローラ３０は、夜間等、太陽電池パネル２８により十分な電力を発電することができないときには、鉛蓄電池２９に蓄えられた電力を、受信機２２およびＩＣレコーダ２４に供給する。また、レギュレータ２７は、太陽電池パネル２８または鉛蓄電池２９から出力される電源電圧（例えば１２Ｖ）をＩＣレコーダ２４へ供給するに当たり、この電源電圧の値を、ＩＣレコーダ２４を稼働させるのに適切な値（例えば３．３Ｖ）に下げる。
【００３９】
（風騒音記録処理）
図４および図５は風騒音記録システム１における風騒音記録処理を示している。以下、図４のタイミングチャートを中心に、図５のフローチャートを参照しながら、風騒音記録処理について説明する。
【００４０】
図４において、風騒音の発生源である送電線２近傍で、風が吹いていない状態が続いているとき、風監視装置１１において、風車発電機１２の出力電圧は零であり、それゆえ、送信機１４およびタイマ１３には電源電圧が供給されておらず、送信機１４およびタイマ１３はいずれも稼働を停止している。このとき、タイマ１３において、ノーマルオープンであるａ接点は開いており、ノーマルクローズであるｂ接点は閉じている。一方、この間、録音装置２１において、受信機２２およびＩＣレコーダ２４には太陽電池パネル２８または鉛蓄電池２９から最小限の電源電圧が供給されている。そして、受信機２２は無線信号を受信可能な状態で待機しており、一方、ＩＣレコーダ２４は稼働を停止している。図４中の時点ｔ０はこの状態である。
【００４１】
風監視装置１１において、風騒音の発生源である送電線２近傍で風が吹き始めると、その風を受け、風車発電機１２が発電を始め、風車発電機１２の出力電圧が増加する。そして、風速が基準風速に達したとき（図４中の時点ｔ１）、風車発電機１２の出力電圧（電源電圧）が発電機定格電圧に達する。この結果、送信機１４およびタイマ１３が稼働を開始し、タイマ１３が計時を開始する。
【００４２】
タイマ１３は、上述したように、計時を開始してから所定時間Ｔ（例えば３分）経過するとａ接点が閉じ、ｂ接点が開くように設定されている。タイマ１３が計時を開始してから所定時間Ｔが経過するまでの間、送電線２近傍の風速が基準風速以上である状態が続いた場合に、タイマ１３のａ接点が閉じ、ｂ接点が開く。一方、タイマ１３が計時を開始してから所定時間Ｔが経過する前に、送電線２近傍の風速が基準風速未満となった場合には、その時点でタイマ１３の計時動作がリセットされる。これにより、送電線２近傍の風速の一時的な変動により風監視装置１１においてハンチングが起きることを防止することができ、風騒音の発生原因となる風の発生を確実に検出することができる。
【００４３】
タイマ１３が計時を開始してから所定時間Ｔが経過するまでの間、送電線２近傍の風速が基準風速以上である状態が続いた場合には（図５中のステップ１：ＹＥＳ）、タイマ１３はａ接点を閉じ、ｂ接点を開く。これにより、タイマ１３から送信機１４へ開始信号が出力され、この開始信号が送信機１４から録音装置２１へ無線送信される（図４中の時点ｔ２、図５中のステップＳ２）。
【００４４】
録音装置２１において、風監視装置１１の送信機１４から送信された開始信号が受信機２２により受信されると、この開始信号がレコーダＩ／Ｆ２３に出力され、これに応じ、レコーダＩ／Ｆ２３がＩＣレコーダ２４へＯＮ信号を出力する（図５中のステップＳ３）。
【００４５】
ＩＣレコーダ２４は、ＯＮ信号を受け取り、これに応じて稼働を開始する。このとき、ＩＣレコーダ２４は、その時点の時刻を示す時刻データ（タイムスタンプ）を、ＩＣレコーダ２４が有する記憶素子に記憶する（図５中のステップＳ４）。
【００４６】
ＩＣレコーダ２４は稼動中、録音装置２１が設置された場所の周囲の音の音圧レベルが基準音圧レベル以上である間、その音を録音する処理を行う（図５中のステップＳ５）。例えば、図４中の時点ｔ３から時点ｔ４までの間、および時点ｔ５から時点ｔ６までの間は、録音装置２１が設置された場所の周囲の音の音圧レベルが基準音圧レベル以上であるので、ＩＣレコーダ２４はこれらの間の音を録音する。一方、図４中の時点ｔ２から時点ｔ３までの間、時点ｔ４から時点ｔ５までの間、および時点ｔ６からｔ７までの間は、録音装置２１が設置された場所の周囲の音の音圧レベルが基準音圧レベル未満であるので、ＩＣレコーダ２４は、これらの間の音を録音しない。
【００４７】
一方、風監視装置１１は、送電線２近傍の風速が基準風速以上である間、図４中の時点ｔ２直後の状態を維持している。また、風監視装置１１は、送電線２近傍の風速が基準風速未満となるも、それが短時間である場合には、風監視装置１１に設けられたキャパシタ１６の作用により、時点ｔ２直後の状態を維持する。
【００４８】
送電線２近傍の風速が基準風速未満となり、その状態がある程度の時間続くと、風車発電機１２の出力電圧が発電機定格電圧を下回り、さらにタイマ保持限界電圧未満となる（図４中の時点７）。なお、この時点では、風車発電機１２の出力電圧がレギュレータ１５へ供給されることによりレギュレータ１５から送信機１４へ入力される電圧は、送信機１４の動作限界電圧以上である。風車発電機１２の出力電圧がタイマ保持限界電圧未満になると（図５中のステップＳ６：ＹＥＳ）、タイマ１３においてａ接点が開き、ｂ接点が閉じる。これにより、タイマ１３から送信機１４へ停止信号が出力され、この停止信号が送信機１４から録音装置２１へ無線送信される（図５中のステップＳ７）。タイマ１３はｂ接点を閉じた後、稼働を停止する。
【００４９】
録音装置２１において、風監視装置１１の送信機１４から送信された停止信号が受信機２２により受信されると、この停止信号がレコーダＩ／Ｆ２３に出力され、これに応じ、レコーダＩ／Ｆ２３がＩＣレコーダ２４へＯＦＦ信号を出力する（図５中のステップＳ８）。
【００５０】
ＩＣレコーダ２４は、ＯＦＦ信号を受け取り、これに応じ、時点ｔ３から時点ｔ４までの間、および時点ｔ５から時点ｔ６までの間に録音した音声データを、ＩＣレコーダ２４が有する記憶素子に音声ファイルとして記憶する。具体的には、時点ｔ３から時点ｔ４までの間に録音した音声データ、および時点ｔ５から時点ｔ６までの間に録音した音声データを録音時刻順に連続して（間を詰めて）配置し、１つの音声ファイルとしての形を作って記憶する。その後、ＩＣレコーダ２４は稼働を停止する（図５中のステップＳ９）。
【００５１】
続いて、送電線２近傍の風速がさらに低下し、この結果、風監視装置１１において、レギュレータ１５から送信機１４に入力される電圧が送信機１４の動作限界電圧未満となると（図４中の時点ｔ８）、送信機１４が稼働を停止する。
【００５２】
以上説明した通り、本発明の実施形態による風騒音記録システム１は、風監視装置１１と録音装置２１が別々の装置であり、風監視装置１１が、風騒音の発生源である送電線２近傍に配置され、録音装置２１が、風騒音が実際に聞こえる場所に配置され、風監視装置１１から録音装置２１へ開始信号および停止信号がそれぞれ送信される構成を有している。これにより、風騒音記録システム１によれば、送電線２の微風振動による風騒音のように、送電線２近傍で吹く風により風騒音が発生し、その風騒音が当該送電線２から離れた場所に不快な異音として届くものの、その風騒音が発生している間、その風騒音が届く場所で風が吹いていない場合であっても、風騒音を確実に録音しつつ、録音時間を短くすることができる。すなわち、送電線２近傍の風速が基準風速以上であり、風騒音が発生しており、または発生するおそれがある間は、風騒音が届くことが報告された場所においてＩＣレコーダ２４が稼働し、基準音圧レベル以上の音のみを録音するので、風騒音を確実に録音することができる。一方、送電線２近傍の風速が基準風速未満であり、風騒音が発生するおそれがない間は、風騒音が届くことが報告された場所においてＩＣレコーダ２４が稼働せず、録音動作を一切行わないので、録音時間を短くすることができる。
【００５３】
そして、風騒音記録システム１によれば、録音時間が短くなり、また、録音した音声データ中に風騒音が含まれている確率が高くなるので、録音した音声を聞き、その音声の中から風騒音を探し出す作業を短縮化することができ、作業員の負担を軽減することができる。
【００５４】
また、風騒音記録システム１によれば、風監視装置１１と録音装置２１との間で開始信号および停止信号の無線通信を行い、上述した録音動作制御を行うことができるので、風騒音の発生源である送電線２と風騒音が聞こえる場所との間が長距離であり、またはこれらの場所の間に渓谷等があり、両場所間の行き来が困難な場合でも、風騒音の録音を容易に実現することができる。
【００５５】
また、風監視装置１１は、風車発電機１２の発電により稼働するので、山地の送電鉄塔等、弱電機器を動作させるための電源の供給を得難い場所でも動作させることができる。
【００５６】
また、録音装置２１は、風車発電機１２とは別の独立した装置であるので、風騒音が聞こえる旨の報告をした者が指示する、実際に風騒音が聞こえる場所に録音装置２１を配置して、その場所の周囲の音を録音することができる。これにより、風騒音を捕捉できる確実性が高まる。また、風監視装置１１は山地の鉄塔３の頂部など到達し難い場所に配置せざるを得ないことがある一方で、録音装置２１は鉄塔３から離れた平地に配置することができる。これにより、ＩＣレコーダ２４により録音した音声データの回収が容易であり、また、録音装置２１のメンテナンスが容易である。
【００５７】
また、録音装置２１において、稼働を開始した時刻を示す時刻データ（タイムスタンプ）を記憶素子に記憶するので、この時刻データに基づき、風騒音が聞こえた時刻を容易に特定することが可能になる。
【００５８】
一方、風監視装置１１において、送信機１４の動作限界電圧をタイマ１３のタイマ保持限界電圧よりも低く設定したので（図４参照）、送信機１４が稼働を停止する前に、タイマ１３から停止信号を出力することができ、したがって、停止信号を送信機１４により確実に録音装置２１へ送信することができる。
【００５９】
なお、上述した実施形態では、風騒音記録システム１により、送電線２の微風振動による風騒音を録音する場合を例にあげたが、本発明はこれに限らない。本発明の風騒音記録システムは、例えば風切り音等、微風振動以外の原因による風騒音を録音することもできる。また、本発明の風騒音記録システムは、送電線以外の電線、または電線以外の風騒音発生源から発せられる風騒音を録音することもできる。
【００６０】
また、本発明は、請求の範囲および明細書全体から読み取ることのできる発明の要旨または思想に反しない範囲で適宜変更可能であり、そのような変更を伴う風騒音記録システムおよび風騒音記録方法もまた本発明の技術思想に含まれる。
【符号の説明】
【００６１】
１  風騒音記録システム
２  送電線（発生源）
３  鉄塔
１１  風監視装置
１２  風車発電機
１２Ａ  羽根
１３  タイマ（信号出力装置）
１４  送信機
１４Ａ  アンテナ
１５  レギュレータ
１６  キャパシタ
２１  録音装置
２２  受信機
２２Ａ  アンテナ
２３  レコーダＩ／Ｆ（制御部）
２４  ＩＣレコーダ（録音機）
２５  マクロフォン
２６  パラボラ集音器
２７  レギュレータ
２８  太陽電池パネル
２９  鉛蓄電池
３０  充放電コントローラ
【要約】
【課題】風騒音を確実に録音しつつ、録音時間を短くする。
【解決手段】風騒音記録システム１は送電線２等の微風振動による風騒音を記録することができる。風騒音記録システム１は、それぞれ別体の風監視装置１１と録音装置２１とを備えている。風監視装置１１は、風騒音の発生源である送電線２近傍に配置され、送電線２近傍の風速が基準風速以上となった時点以降に開始信号を無線送信し、その後、その風速が基準風速未満となった時点以降に停止信号を無線送信する。録音装置２１は、風騒音の発生源である送電線２から離れた場所に配置され、風監視装置１１から送信された開始信号が受信されてから停止信号が受信されるまでの間、基準音圧レベル以上の音圧レベルを有する音のみを録音する。【図１】
0005746453.tif 000002
【図２】
0005746453.tif 000003
【図３】
0005746453.tif 000004
【図４】
0005746453.tif 000005
【図５】
0005746453.tif 000006